(57)【特許請求の範囲】
【請求項１】
左側板と右側板と天板と底板と背板とが互いに固定されて前方に開放されかつ左右上下後の囲まれた方形な内部空間を構成する木質材又は木材又は合成樹脂の何れかからなる遊技機の筐体であって、この筐体の内部空間には金属内箱が設置され、この金属内箱は、上記筐体の左側板の内部空間側面に接触する左側面材と、上記筐体の右側板の内部空間側面に接触する右側面材と、上記筐体の天板の内部空間側面に接触する天面材と、上記筐体の底板の内部空間側面に接触する底面材と、上記筐体の背板の内部空間側面に接触する背面材とを備えたことを特徴とする遊技機の筐体。
【請求項２】
左側面材と右側面材と天面材と底面材と背面材とが互いに連結したか又は互いに独立したことを特徴とする請求項１記載の遊技機の筐体。
【請求項３】
筐体と金属内箱とには、空気を流通させるものの不正操作部材を通過させ難い通気孔が形成されたことを特徴とする請求項１記載の遊技機の筐体。
【発明の詳細な説明】
【技術分野】
【０００１】
本発明は、スロットマシン又はパチンコ機等の遊技機の筐体であり、前方に開放され左右上下及び背面の囲まれた方形な内部空間を造形する箱形の筐体に関する。
【背景技術】
【０００２】
図１１は、特許文献１で開示されたスロットマシンの筐体６１を示す（特許文献１の段落００１９、段落００４６、図１２参照）。図１１において、筐体６１は、合板のような木質材又は木材により、前方に開放され左右上下及び背面の囲まれた方形な内部空間を造形する箱形に構成され、遊技店の島設備と言われる遊技機設置構造体の上横部材と下横部材との間の空間に挿入され、筐体６１の天板と底板とが遊技機設置構造体の上横部材と下横部材とに釘のような固定具で固定される。この木質材又は木材からなる筐体６１の内面には、金属箔シール６２が全面的に貼り付けられて、静電気を除去するようになっている。しかしながら、金属箔シール６２であることから、スロットマシンが遊技機設置構造体に設置された状態において、ピアノ線のような不正操作部材が筐体６１の外部から金属箔シール６２を突き抜けて筐体６１の内部に挿入され、不正行為が行われるという欠点がある。
【０００３】
図１２は、特許文献２で開示されたスロットマシンの筐体に用いられる金属フレーム６３を示す（特許文献２の段落００２４、段落００２５、図４、図５参照）。図１２において、金属フレーム６３を前方に開放され左右上下及び背面の囲まれた方形な内部空間を造形する箱形に構成する上下左右及び背の各面材６４；６５；６６；６７；６８には、外周部分と桟部分とを残して開口部６９；７０；７１；７２；７３；７４；７５；７６；７７；７８；７９が広く形成されている。この金属フレーム６３の外面には、図外の紙と段ボールとの張り合わせられた外面材が全面的に固定されて、静電気を除去するようになっている。しかしながら、広い開口部６９乃至７９が設けられていることから、スロットマシンが遊技機設置構造体に設置された状態において、ピアノ線のような不正操作部材が外面材の外部から開口部６９乃至７９を突き抜けて金属フレーム６３の内部に挿入され、不正行為が行われるという欠点がある。
【先行技術文献】
【特許文献】
【０００４】
【特許文献１】特許３９２６６０４号公報
【特許文献２】特開２００３−１９９８６７号公報
【発明の概要】
【発明が解決しようとする課題】
【０００５】
本発明は、上記背景技術に鑑みてなされたものであり、筐体の外部から内部への不正操作を防止することを目的とする。
【課題を解決するための手段】
【０００６】
本発明は、左側板と右側板と天板と底板と背板とが互いに固定されて前方に開放されかつ左右上下後の囲まれた方形な内部空間を構成する木質材又は木材又は合成樹脂の何れかからなる遊技機の筐体であって、筐体の内部空間には金属内箱が設置され、この金属内箱は、上記筐体の左側板の内部空間側面に接触する左側面材と、上記筐体の右側板の内部空間側面に接触する右側面材と、上記筐体の天板の内部空間側面に接触する天面材と、上記筐体の底板の内部空間側面に接触する底面材と、上記筐体の背板の内部空間側面に接触する背面材とを備えたことを特徴とする。
【発明の効果】
【０００７】
本発明は、木質材又は木材又は合成樹脂の何れかからなる筐体の内部空間には金属内箱が設置されているので、筐体が金属内箱により静電気を除去できるうえ、不正操作部材が筐体の外部から筐体に差し込まれても、金属内箱が不正操作部材の内部空間への侵入を阻止して不正操作を防止できるという効果がある。又、本発明は、金属内箱が筐体の左側板の内部空間側面に接触する左側面材と筐体の右側板の内部空間側面に接触する右側面材と筐体の天板の内部空間側面に接触する天面材と筐体の底板の内部空間側面に接触する底面材と筐体の背板の内部空間側面に接触する背面材とを備えているので、金属内箱における内部空間が広くなるという効果がある。又、本発明では、左側面材と右側面材と天面材と底面材と背面材とが互いに連結していれば、金属内箱に一ヶ所を接地すればよいという効果がある。左側面材と右側面材と天面材と底面材と背面材とが互いに独立していれば、不正防止の必要な部分に金属板を使用し、不正防止の不要な部分に金属箔又は金属フィルムを使用するというように、不正防止の必要な部分と不要な部分とで素材の使い分けができるという効果がある。又、本発明では、筐体と金属内箱とに空気を流通させるものの不正操作部材を通過させ難い通気孔が形成されれば、放熱と不正防止との双方が図れるという効果がある。
【図面の簡単な説明】
【０００８】
【図１】実施の形態１に係るスロットマシンの筐体を示す正面図。
【図２】実施の形態１に係るスロットマシンの筐体と金属内箱とを示す分解斜視図。
【図３】実施の形態１に係る筐体を示すと共に金属内箱を分解し示す斜視図。
【図４】実施の形態２に係る金属内箱を示す分解斜視図。
【図５】実施の形態２に係るスロットマシンの筐体を示す斜視図。
【図６】実施の形態３に係るスロットマシンの筐体を示す斜視図。
【図７】実施の形態３に係る図６に示すＡ‐Ａ線断面図。
【図８】実施の形態４に係るＡ‐Ａ線断面図に相当する断面図。
【図９】実施の形態５に係るスロットマシンの筐体を示す分解斜視図。
【図１０】実施の形態５に係るスロットマシンの筐体を示す斜視図。
【図１１】従来のスロットマシンの筐体を示す斜視図。
【図１２】別の従来のスロットマシンの金属フレームを示す斜視図。
【発明を実施するための形態】
【０００９】
本明細書における「前」、「後」、「左」、「右」、「上」、「下」の方向は、図２の状態に筐体１及び金属内箱１１を置いて矢印Ｓで示す前側から見た場合に特定される方向である。
【００１０】
図２を参照し、実施の形態１に係るスロットマシンの筐体１について説明する。筐体１は、天板２の左端部と左側板３の上端部とが互いに固定され、天板２の右端部と右側板４の上端部とが互いに固定され、底板５の左端部と左側板３の下端部とが互いに固定され、底板５の右端部と右側板４の下端部とが互いに固定され、背板６の周縁部が天板２の後部と左側板３の後部と右側板４の後部と底板５の後部とに固定されたことにより、前方に開放されかつ左右上下後の囲まれた方形な内部空間７を構成する。筐体１の前面には、図外の前扉が左側に位置するヒンジを中心として開閉可能に連結される。筐体１の内部空間７に設置される金属内箱１１の内部空間１７には、図柄表示装置、制御装置、ホッパー等の部品が収容される。
【００１１】
天板２と左側板３と右側板４と底板５及び背板６の素材は木質材又は木材又は合成樹脂等が考えられるが、天板２と底板５とには木質材又は木材を選択すれば、筐体１を島設備と言われる遊技機設置構造体に釘で固定することが容易である。天板２と底板５及び背板６は、直角な４隅を有する方形な板状である。天板２の左右方向の寸法は底板５の左右方向の寸法と同じであるが、天板２の前後方向の寸法は底板５の前後方向の寸法よりも小さな方形である。左側板３及び右側板４は、左右対称形であり、下面と後面とが互いに直交し、上面と後面とが互いに直交し、前面が下方から上方に行くに従って徐々に後方に傾斜する後傾状になった形状に構成される。よって、内部空間７の前面開口は、下方から上方に行くに従って徐々に後方に傾斜する後傾状になった斜面を構成する造形になる。
【００１２】
左側板３及び右側板４には、取っ手８；９が個別に設けられる。取っ手８は、左側板３の外部側から内部空間側に窪む凹部又は外部と内部空間７と貫通する孔として形成される。取っ手９は、右側板４の外部側から内部空間側に窪む凹部又は外部と内部空間７と貫通する孔として形成される。
【００１３】
筐体１の内部空間７に設置される金属内箱１１は、天面材１２の左端部と左側面材１３の上端部とが互いに固定され、天面材１２の右端部と右側面材１４の上端部とが互いに固定され、底面材１５の左端部と左側面材１３の下端部とが互いに固定され、底面材１５の右端部と右側面材１４の下端部とが互いに固定され、背面材１６の周縁部が天面材１２の後部と左側面材１３の後部と右側面材１４の後部と底面材１５の後部とに固定されたことにより、前方に開放されかつ左右上下後の囲まれた方形な内部空間１７を構成する。
【００１４】
図３を参照し、実施の形態１に係る金属内箱１１の各構成部材について説明する。天面材１２は、天板２の内部空間側面と同じ大きさの方形な面を構成し、後縁部に被連結片２１と左右の２つの縁部に連結片２２；２３を備える。上記天板２の内部空間側面は、天板２の内部空間７を構成する面である。被連結片２１は、左側面材１３の被連結片２６と右側面材１４の被連結片２９とに重ならないような左右方向の横幅を有する片を天面材１２の下方に直角に折り曲げることで天面材１２の後縁部から下方に突出した造形である。被連結片２１は、左右に分かれた複数個でもよいが、図３に示すように単数であれば、構造が簡単になる。連結片２２；２３は、天面材１２の左右の２つの周縁部のそれぞれに複数個ずつ設けられ、天面材１２の外部と内部とにわたり形成された一対の切断部分の間に残存する片を天面材１２の下方に直角に折り曲げることで天面材１２の左右の２つの縁部から下方に突出した造形である。連結片２２；２３の個数は、２個ずつに限定されるものではないが、図３に示すように２個ずつであれば、構造が簡単で支持機能が適切に発揮できる。
【００１５】
左側面材１３は、筐体１における左側板３の内部空間側面と同じ大きさの方形な面を構成し、上下後の３つの縁部に被連結片２４；２５；２６を備える。上記左側板３の内部空間側面は、左側板３の内部空間７を構成する面である。被連結片２４乃至２６は、互いに接続された造形でもよいが、図３に示すように単独に分かれていれば、構造が簡単になる。被連結片２４は、左側面材１３の前後方向の横幅を有する片を左側面材１３の右方に直角に折り曲げることで左側面材１３の上縁部から右方に突出した造形である。被連結片２４は、前後に分かれた複数個でもよいが、図３に示すように単数であれば、構造が簡単になる。被連結片２５は、左側面材１３の前後方向の横幅を有する片を左側面材１３の右方に直角に折り曲げることで左側面材１３の下縁部から右方に突出した造形である。被連結片２５は、前後に分かれた複数個でもよいが、図３に示すように単数であれば、構造が簡単になる。被連結片２６は、左側面材１３の上下方向の高さを有する片を左側面材１３の右方に直角に折り曲げることで左側面材１３の後縁部から右方に突出した造形である。被連結片２６は、上下に分かれた複数個でもよいが、図３に示すように単数であれば、構造が簡単になる。
【００１６】
右側面材１４は、筐体１における右側板４の内部空間側面と同じ大きさの方形な面を構成し、上下後の３つの縁部に被連結片２７；２８；２９を備える。上記右側板４の内部空間側面は、右側板４の内部空間７を構成する面である。被連結片２７乃至２９は、互いに接続された造形でもよいが、図３に示すように単独に分かれていれば、構造が簡単になる。被連結片２７は、右側面材１４の前後方向の横幅を有する片を右側面材１４の左方に直角に折り曲げることで右側面材１４の上縁部から左方に突出した造形である。被連結片２７は、前後に分かれた複数個でもよいが、図３に示すように単数であれば、構造が簡単になる。被連結片２８は、右側面材１４の前後方向の横幅を有する片を右側面材１４の左方に直角に折り曲げることで右側面材１４の下縁部から左方に突出した造形である。被連結片２８は、前後に分かれた複数個でもよいが、図３に示すように単数であれば、構造が簡単になる。被連結片２９は、右側面材１４の上下方向の高さを有する片を右側面材１４の左方に直角に折り曲げることで右側面材１４の後縁部から左方に突出した造形である。被連結片２８は、上下に分かれた複数個でもよいが、図３に示すように単数であれば、構造が簡単になる。
【００１７】
底面材１５は、筐体１における底板５の内部空間側面と同じ大きさの方形な面を構成し、後縁部に被連結片３０と左右の２つの縁部に連結片３１；３２を備える。上記底板５の内部空間側面は、底板５の内部空間７を構成する面である。被連結片３０は、左側面材１３の被連結片２６と右側面材１４の被連結片２９とに重ならないような左右方向の横幅を有する片を底面材１５の上方に直角に折り曲げることで底面材１５の後縁部から上方に突出した造形である。被連結片３０は、左右に分かれた複数個でもよいが、図３に示すように単数であれば、構造が簡単になる。連結片３１；３２は、底面材１５の左右の２つの縁部のそれぞれに複数個ずつ設けられ、底面材１５の外部と内部とにわたり形成された一対の切断部分の間に残存する片を底面材１５の上方に直角に折り曲げることで底面材１５の左右の２つの縁部から上方に突出した造形である。連結片３１；３２の個数は、２個ずつに限定されるものではないが、図３に示すように２個ずつであれば、構造が簡単で支持機能が適切に発揮できる。
【００１８】
背面材１６は、筐体１における背板６の内部空間側面と同じ大きさの方形な面を構成し、上下左右の４つの縁部に連結片３３；３４；３５；３６を備える。上記背板６の内部空間側面は、背板６の内部空間７を構成する面である。連結片３３乃至３６は、背面材１６の上下左右の４つの縁部のそれぞれに複数個ずつ設けられ、背面材１６の外部と内部とにわたり形成された一対の切断部分の間に残存する片を背面材１６の前方に直角に折り曲げることで背面材１６の上下左右の４つの縁部から前方に突出した造形である。連結片３３乃至３６の個数は、２個ずつに限定されるものではないが、図３に示すように２個ずつであれば、構造が簡単で支持機能が適切に発揮できる。
【００１９】
図３において、実施の形態１に係る筐体１の内部空間７に金属内箱１１を設置する方法について説明すると、例えば、天面材１２と左側面材１３と右側面材１４と底面材１５及び背面材１６のそれぞれが筐体１の内部空間７に入れられて互いに組み合わせられることで、金属内箱１１を筐体１の内部で組み立てる方法が考えられる。金属内箱１１を筐体１の内部で組み立てるには、先ず、背面材１６の連結片３３乃至３６が前方に向けられた状態において、背面材１６が筐体１の前方から内部空間７に入れられ、背面材１６の後面が筐体１の背板６の空間内部側面に重ね合わされる。次に、天面材１２と左側面材１３と右側面材１４と底面材１５とが別々に筐体１の前方から内部空間７に入れられて背面材１６に連結される。
【００２０】
具体的には、天面材１２の場合は、被連結片２１と連結片２２；２３とが底面材１５の側に向けられ、被連結片２１が後方に配置され、連結片２２が左方に配置され、連結片２３が右方に配置された状態において、天面材１２が筐体１の前方から内部空間７に入れられる。そして、天面材１２の上面が筐体１の天板２の空間内部側面に重ね合わされ、被連結片２１が背面材１６の連結片３３よりも上方の空間内部側面に重ね合わされる。その後、連結片３３が人により上方に折り曲げられる。これにより、天面材１２と背面材１６とが互いに連結される。
【００２１】
左側面材１３の場合は、被連結片２４乃至２６が右側面材１４の側に向けられ、被連結片２４が上方に配置され、被連結片２５が下方に配置され、被連結片２６が後方に配置された状態において、左側面材１３が筐体１の前方から内部空間７に入れられる。そして、左側面材１３の左面が筐体１の左側板３の空間内部側面に重ね合わされ、被連結片２４が天面材１２の連結片２２よりも左方の空間内部側面に重ね合わされ、被連結片２６が背面材１６の連結片３５よりも左方の空間内部側面に重ね合わされる。その後、連結片２２；３５が人により左方に折り曲げられる。これにより、天面材１２と左側面材１３と背面材１６とが互いに連結される。
【００２２】
右側面材１４の場合は、被連結片２７乃至２９が左側面材１３の側に向けられ、被連結片２７が上方に配置され、被連結片２８が下方に配置され、被連結片２９が後側に配置された状態において、右側面材１４が筐体１の前方から内部空間７に入れられる。そして、右側面材１４の右面が筐体１の右側板４の空間内部側面に重ね合わされ、被連結片２７が天面材１２の連結片２３よりも右方の空間内部側面に重ね合わされ、被連結片２９が背面材１６の連結片３６よりも右方の空間内部側面に重ね合わされる。その後、連結片２３；３６が人により右方に折り曲げられる。これにより、天面材１２と右側面材１４と背面材１６とが互いに連結される。
【００２３】
底面材１５の場合は、被連結片３０と連結片３１；３２とが天面材１２の側に向けられ、被連結片３０が後方に配置され、連結片３１が左方に配置され、連結片３２が右方に配置された状態において、底面材１５が筐体１の前方から内部空間７に入れられる。そして、底面材１５の下面が筐体１の底板５の空間内部側面に重ね合わされ、被連結片３０が背面材１６の連結片３４よりも下方の空間内部側面に重ね合わされ、底面材１５の連結片３１よりも左方の空間内部側面が左側面材１３の被連結片２５の下面に重ね合わされ、底面材１５の連結片３２よりも右方の空間内部側面が右側面材１４の被連結片２８の下面に重ね合わされる。その後、連結片３１が人により左方に折り曲げられ、連結片３２が人により右方に折り曲げられ、連結片３４が人により下方に折り曲げられる。これにより左側面材１３と右側面材１４と底面材１５と背面材１６とが互いに連結され、図１に示すように、天面材１２と左側面材１３と右側面材１４と底面材１５と背面材１６とから前方に開放されかつ左右上下後の囲まれた方形な内部空間１７を構成した金属内箱１１が筐体１の内部空間７に設置される。金属内箱１１が筐体１の内部空間７に設置された場合、金属内箱１１が筐体１よりも前方に突出しない構成であり、筐体１の取っ手８；９の内部空間７の側が金属内箱１１で塞がれる。
【００２４】
尚、天面材１２と左側面材１３と右側面材１４と底面材１５とが別々に筐体１の前方から内部空間７に入れられる順序は何れが先であってもよい。又、筐体１の外部において、天面材１２と左側面材１３と右側面材１４と底面材１５と背面材１６とからなる前方に開放されかつ左右上下後の囲まれた方形な内部空間１７を構成した金属内箱１１が形成され、その後に金属内箱１１を筐体１の内部空間７に設置してもよいが、段落００１９乃至段落００２３に記載した組み立て方法の方が、面材１２と左側面材１３と右側面材１４と底面材１５及び背面材１６どうしの位置合わせが適切になり、金属内箱１１を筐体１の内部空間７に容易に設置することができる。
【００２５】
図１を参照し、実施の形態１に係る金属内箱１１を内部空間７に設置してなる筐体１について説明すると、被連結片２１と連結片３３との結合、連結片２２と被連結片２４との結合、連結片２３と被連結片２７との結合、被連結片２５と連結片３１との結合、被連結片２６と連結片３５との結合、被連結片２８と連結片３２との結合、被連結片２９と連結片３６との結合、被連結片３０と連結片３４との結合のそれぞれにより、天面材１２と左側面材１３と右側面材１４と底面材１５とが背面材１６に一体に結合している一方、天面材１２と左側面材１３と右側面材１４と底面材１５と背面材１６とからなる金属内箱１１が筐体１の内部空間７に設置され、筐体１と金属内箱１１とが互いに接触した構造になっている。
【００２６】
よって、金属内箱１１が接地されることにより、筐体１が金属内箱１１により静電気を除去できると共に遊技機設置構造体に設置された状態において、ピアノ線のような不正操作部材が筐体１の外部から筐体１に差し込まれても、金属内箱１１が不正操作部材の内部空間１７への侵入を阻止して不正操作を防止できる。尚、不正操作部材の侵入を阻止するには、金属内箱１１を構成する天面材１２と左側面材１３と右側面材１４と底面材１５と背面材１６とにおけるそれぞれの板厚は、例えば、０．３ｍｍに限定されるものでないが、０．３ｍｍ以上もあれば必要かつ十分である。
【００２７】
上記のように、金属内箱１１が筐体１の天板２の内部空間側面に接触する天面材１２と筐体１の左側板３の内部空間側面に接触する左側面材１３と筐体１の右側板４の内部空間側面に接触する右側面材１４と筐体１の底板５の内部空間側面に接触する底面材１５と筐体１の背板６の内部空間側面に接触する背面材１６とを備えたので、金属内箱１１における内部空間１７が広くなる。又、天面材１２と左側面材１３と右側面材１４と底面材１５と背面材１６とが互いに連結しているので、金属内箱１１の一ヶ所を接地すれば、接地の構造が簡単になる。
【００２８】
図４を参照し、実施の形態２に係る金属内箱１１の各構成部材について説明する。図４において、図３に示す実施の形態１と同一の部分には同一符号付して重複する説明を省略する。図４では、天面材１２の前縁部に保護片４１を設け、左側面材１３の前縁部に保護片４２を設け、右側面材１４の前縁部に保護片４３を設け、底面材１５の前縁部に保護片４４を設けた構造が、図３の構造と相違する。保護片４１は、天面材１２の前縁部から下方に突出する第１片と第１片の下縁部から前方に突出する第２片とから構成される。保護片４２は、左側面材１３の前縁部から右方に突出する第１片と第１片の右縁部から前方に突出する第２片とから構成される。保護片４３は、右側面材１４の前縁部から左方に突出する第１片と第１片の左縁部から前方に突出する第２片とから構成される。保護片４４は、底面材１５の前縁部から上方に突出する第１片と第１片の上縁部から前方に突出する第２片とから構成される。そして、段落００１９乃至段落００２３に記載された組み立て方により、図５に示すように、天面材１２と左側面材１３と右側面材１４と底面材１５と背面材１６とから前方に開放されかつ左右上下後の囲まれた方形な内部空間１７を構成した金属内箱１１が筐体１の内部空間７に設置される。
【００２９】
図５を参照し、実施の形態２に係る金属内箱１１を内部空間７に設置してなる筐体１について説明すると、金属内箱１１の保護片４１乃至４４が筐体１よりも前方に突出する。そして、筐体１の前部には図外の前扉が左側のヒンジで開閉可能に連結され、この前扉が閉じられて筐体１の前部を塞ぐことにより、保護片４１乃至４４が筐体１と前扉との間の隙間を塞ぐので、不正操作部材が筐体１の外部から筐体１と前扉との間の隙間に挿入されても、保護片４１乃至４４が不正操作部材の内部空間１７への侵入を阻止して不正操作を防止できる。
【００３０】
図６を参照し、実施の形態３に係る筐体１と金属内箱１１との通気孔４５；４６について説明する。図６において、図３に示す実施の形態１と同一の部分には同一符号付して重複する説明を省略する。図６では、通気孔４５；４６は、空気を流通させるものの不正操作部材を通過させ難い構造であり、金属内箱１１の内部空間１７に収容された電気部品からの放熱を筐体１の外部に排出すると共に、不正操作部材が筐体１の外部から内部空間１７に侵入し難いようになっている。通気孔４５；４６の個数は、単数でも複数でもよい。筐体１に設けられた通気孔４５と金属内箱１１に設けられた通気孔４６とが筐体１の内部空間側面に平行する方向に位置をずらして形成されことにより空気を流通させるものの不正操作部材を通過させ難い造形になっている。
【００３１】
図６では、通気孔４５が筐体１の背板６に設けられ、通気孔４６が金属内箱１１の背面材１６に設けられた場合を例示したが、通気孔４５が天板２と左側板３と右側板４と底板５と背板６とのそれぞれに又は何れかに設けられ、通気孔４６が天面材１２と左側面材１３と右側面材１４と底面材１５と背面材１６とのそれぞれに又は何れかに設けられてもよい。通気孔４５が天板２と左側板３と右側板４と底板５と背板６とのそれぞれに又は何れかに設けられ、通気孔４６が天面材１２と左側面材１３と右側面材１４と底面材１５と背面材１６とのそれぞれに又は何れかに設けられた場合には、以下の説明において、通気孔４５の設けられる部材としての背板６を、天板２と左側板３と右側板４と底板５とそれぞれ読み替えることにより、通気孔４６の設けられる部材としての背面材１６を、天面材１２と左側面材１３と右側面材１４と底面材１５とそれぞれ読み替えることにより、適用可能になる。
【００３２】
図７を参照し、通気孔４５；４６について説明する。先ず、通気孔４５について説明する。通気孔４５は、空間側凹部４７と外側凹部４８とから構成される。空間側凹部４７と外側凹部４８とは、互いに背板６の内部空間側面に平行する方向と背板６の内部空間側面に直交する方向とに交差するように位置をずらして隙間４９を形成する。例えば、隙間４９の内部空間側面に平行する方向の寸法Ｌ１が２ｍｍ、隙間４９の内部空間側面に直交する方向の寸法Ｌ２が１ｍｍと考えられるが、上記寸法Ｌ１；Ｌ２は上記数値に限定されるものではなく空気を流通させるものの不正操作部材を通過させ難い寸法であればよい。空間側凹部４７が上で外側凹部４８が下になるように、又は、空間側凹部４７が左で外側凹部４８が右になるように、又は、空間側凹部４７が右で外側凹部４８が左になるように、空間側凹部４７と外側凹部４８とが配置されていても適用可能であるが、図７に示すように、空間側凹部４７が下で外側凹部４８が上になるように配置されていれば、空間側凹部４７が上で外側凹部４８が下になる場合よりも、内部空間１７に配置された図外の電気部品からの放熱が矢印Ｘで示すように下の空間側凹部４７から上の隙間４９を経由して更に外側凹部４８から外部へとつまり下から上へと通気孔４５を経由して外部に円滑に放出される。
【００３３】
次に、通気孔４６について説明する。通気孔４６は、空間側凹部４７の内部空間側開口より小さい口径であり、金属内箱１１が筐体１の内部空間７に設置され、背板６と背面材１６とが互いに重なり合わされた場合には、背面材１６の通気孔４６を取り囲む部分が隙間４９と内部空間１７の側で対向して空間側凹部４７の内部空間側開口の一部を塞いで、図外の不正操作部材が筐体１の外部から外側凹部４８及び隙間４９を経由して空間側凹部４７に挿入された場合でも、不正操作部材が背面材１６の通気孔４６を取り囲む部分に衝突して内部空間１７に挿入され難くなるので、内部空間１７に配置された図外の電気部品や機構部品に対する不正操作部材による不正操作を防止することができる。
【００３４】
尚、図示は省略したが、図７の通気孔４５において、空間側凹部４７の外側凹部側と外側凹部４８の空間側凹部側とが筐体１の内部空間側面としての背板６の内部空間側面に平行する方向で内部空間側面に直交する方向の１つの平面内に位置すると共に内部空間側面に直交する方向で交差するように位置をずらして隙間４９を形成するようにしてもよい。換言すると、隙間４９は、空間側凹部４７と外側凹部４８とが背板６の内部空間側面に平行する方向に位置をずらすことなく（図７に示すＬ１＝０）背板６の内部空間側面に直交する方向にだけ位置をずらして形成された造形である。上記空間側凹部４７と外側凹部４８とが背板６の内部空間側面に平行する方向に位置をずらすことなくとは、図７に示すＬ１＝０のことである。又、図示は省略したが、図７の背面材１６の通気孔４６を取り囲む部分が隙間４９と内部空間１７の側で対向して空間側凹部４７の内部空間側開口の周囲を塞ぐようにしてもよい。
【００３５】
図８を参照し、実施の形態４に係る筐体１に設けられた通気孔５０と金属内箱１１に設けられた通気孔４６について説明する。図８において、図７に示す実施の形態３と同一の部分には同一符号付して重複する説明を省略する。図８では、通気孔５０は、通気孔４６に類似し、筐体１の内部空間７と外部とに貫通する一様の貫通孔により構成される。そして、金属内箱１１が筐体１の内部空間７に設置された場合、背板６と背面材１６とがそれの間に隙間５１を形成するように互いに離れて配置され、通気孔５０と通気孔４６とが互いに前後方向で対向しないように筐体１の内部空間側面に平行する方向で位置をずらして形成されて空気を流通させるものの不正操作部材を通過させ難い構造になっている。
【００３６】
図９を参照し、実施の形態４に係る筐体１の各構成部材について説明する。図９において、図３に示す実施の形態１と同一の部分には同一符号付して重複する説明を省略する。図９では、天板２の内部空間側面には金属板からなる天面材５２が固定され、左側板３の内部空間側面には金属板からなる左側面材５３が固定され、右側板４の内部空間側面には金属板からなる右側面材５４が固定され、底板５の内部空間側面には金属板からなる底面材５５が固定され、背板６の内部空間側面には金属板からなる背面材５６が固定された構成である。上記固定は、接着剤又はビス又はタッカー又は天面材５２と左側面材５３と右側面材５４と底面材５５と背面材５６とのそれぞれに設けた鋭利な突起等の固定具を利用することが考えられる。
【００３７】
そして、天板２の天面材５２よりも左方における左端部と左側板３の左側面材５３よりも上方における上端部とが互いに固定され、天板２の天面材５２よりも右方における右端部と右側板４の右側面材５４よりも上方における上端部とが互いに固定され、底板５の底面材５５よりも左方における左端部と左側板３の左側面材５３よりも下方における下端部とが互いに固定され、底板５の底面材５５よりも右方における右端部と右側板４の右側面材５４よりも下方における下端部とが互いに固定され、背板６の背面材５６よりも内部空間側面に平行な方向の外側における周縁部が天板２の天面材５２よりも後方における後部と左側板３の左側面材５３よりも後方における後部と右側板４の右側面材５４よりも後方における後部と底板５の底面材５５よりも後方における後部とに固定されたことにより、図１０に示すように、筐体１が前方に開放されかつ左右上下後の囲まれた方形な内部空間７を備えた造形に構成される。
【００３８】
図１０を参照し、実施の形態４に係る筐体１について説明する。不正操作部材の侵入を阻止するには、天面材５２と左側面材５３と右側面材５４と底面材５５と背面材５６とにおけるそれぞれの板厚は、例えば、０．３ｍｍに限定されるものでないが、０．３ｍｍであれば必要かつ十分である。天面材５２と左側面材５３と右側面材５４と底面材５５と背面材５６とが互いに接続していても又は図示のように独立していてもよい。又、天面材５２と左側面材５３と右側面材５４と底面材５５と背面材５６とが接地されることにより、筐体１が天面材５２と左側面材５３と右側面材５４と底面材５５と背面材５６とにより静電気を除去できる。又、金属内箱１１を構成する天面材５２と左側面材５３と右側面材５４と底面材５５と背面材５６とが互いに独立しているので、不正防止の必要な部分に金属板を使用し、不正防止の不要な部分に金属箔又は金属フィルムを使用するというように、不正防止の必要な部分と不要な部分とで素材の使い分けができる。
【００３９】
尚、例えば、背面材５６が不正操作部材の侵入を阻止するための金属板で構成され、天面材５２と左側面材５３と右側面材５４と底面材５５とのそれぞれが金属箔又は金属フィルムで構成され、上記金属板で構成された背面材５６と上記金属箔又は金属フィルムで構成され天面材５２と左側面材５３と右側面材５４と底面材５５とのそれぞれを接地すれば、静電気が除去できる。又、天面材５２と左側面材５３と右側面材５４と底面材５５と背面材５６のうちで接地の必要ない部材は接地しなくてよい。又、不正操作部材の侵入を阻止することの必要な部分は金属板とし、不正操作部材の侵入を阻止することの不要な部分は金属箔又は金属フィルムで構成すれば、金属板と金属箔又は金属フィルムとを使い分けることができる。又、図７に示す通気孔４５；４６又は図８に示す通気孔４６；５０を図１０に示す筐体１に採用してもよい。図８に示す通気孔４６；５０を採用する場合、図９の背面材５６が金属板で構成され、この背面材５６が図８の隙間５１を形成するように背板６に取り付けられるか又は背面材５６の該当する部分に背板６の側から前方に突出する凹部が形成されればよい。
【００４０】
図１、図５、図６、図１０に示す筐体１において、図外の幕板が左側板３の下部と右側板４の下部と底板５とにわたって固定されて内部空間７の前側下部を塞いだ構成でもよい。尚、図外の幕板が図６の筐体１に設けられる場合は、保護片４２の幕板と干渉する部分を除去し、保護片４３の幕板と干渉する部分を除去し、保護片４４を除去すればよい。
【００４１】
図示は省略したが筐体１をパチンコ機の筐体としても適用できる。筐体１をパチンコ機の筐体として適用する場合は、天板２と左側板３と右側板４と底板５及び背板６は、直角な４隅を有する方形な板状である。天板２と左側板３と右側板４と底板５は、前後方向の奥行きが同じ寸法である。又、天板２と底板５とは、左右方向の幅が同じ寸法であり、同形に構成される。左側板３と右側板４とは、上下方向の高さが同じ寸法であり、同形に構成される。背板６は、天板２と左側板３と右側板４と底板５とで囲まれた方形な内部空間７の後部を全面的に塞ぐ大きさである。よって、内部空間７の前面開口は、背板６の前面としての内部空間側面と平行な垂直面を構成する。筐体１をパチンコ機の筐体として適用した場合は、筐体１の前部には図外の前枠が左側のヒンジで開閉可能に連結され、前枠には図外の遊技盤や制御装置及び機構部品並びに前扉が取り付けられ、前枠が閉じられて筐体１の前部を塞ぐことにより上記遊技盤や制御装置及び機構部品が内部空間７に収容される。
【符号の説明】
【００４２】
１は筐体、２は天板、３は左側板、４は右側板、５は底板、６は背板、７は内部空間、８；９は取っ手、１０は欠番、１１は金属内箱、１２は天面材、１３は左側面材、１４は右側面材、１５は底面材、１６は背面材、１７は内部空間、１８乃至２０は欠番、２１は被連結片、２２；２３は連結片、２４乃至３０は被連結片、３１乃至３６は連結片、３７乃至４０は欠番、４１乃至４４は保護片、４５；４６は通気孔、４７は空間側凹部、４８は外側凹部、４９は隙間、５０は通気孔、５１は隙間、５２は天面材、５３は左側面材、５４は右側面材、５５は底面材、５６は背面材、５７乃至６０は欠番、６１は筐体、６２は金属箔シール、６３は金属フレーム、６４乃至６８は面材、６９乃至７９は開口部。
【図１】
0005986706.tif 000002
【図２】
0005986706.tif 000003
【図３】
0005986706.tif 000004
【図４】
0005986706.tif 000005
【図５】
0005986706.tif 000006
【図６】
0005986706.tif 000007
【図７】
0005986706.tif 000008
【図８】
0005986706.tif 000009
【図９】
0005986706.tif 000010
【図１０】
0005986706.tif 000011
【図１１】
0005986706.tif 000012
【図１２】
0005986706.tif 000013